(57)【要約】【課題】ある一のパネル体の固定をし忘れてもそれを原因とした不具合が生じにくい遊技機を提供すること。【解決手段】遊技盤２７を載置搭載した遊技機本体１４の後方に機構盤を配置したパチンコ遊技機であって、遊技盤の閉塞に伴って機構盤前面の遊技球回収ケースの干渉プレートを遊技機本体１４側のレバー１０４に干渉させ、この干渉作用によって係留状態の係合プレート１０２を解除させて係合プレート１０２を板バネの付勢力によって上動させ遊技盤２７を裏面から押圧するようにしたため遊技機本体１４に対する遊技盤２７の密着性が保持されることとなる。【選択図】      図５
2008289573.tif 000002
【特許請求の範囲】
【請求項１】
機能の異なる複数のパネル体を前後方向に重複配置して組み立てるようにした遊技機において、同複数のパネル体から選択された当該一のパネル体が当該一のパネル体の前方に隣接配置された前方パネル体に対して固定手段によって固着されるとともに、当該一のパネル体の後方に隣接配置された後方パネル体が当該一のパネル体に対して開放された状態にあって、なおかつ前記固定手段から選択された少なくとも１の固定手段（以下、選択固定手段とする）の固定作用が解除されている場合には、同後方パネル体を当該一のパネル体に対して相対的に閉塞させることに伴って同後方パネル体側の干渉部材を同選択固定手段に干渉させて同選択固定手段の固定作用を有効とするようにしたことを特徴とする遊技機。
【請求項２】
前記選択固定手段は前記前方パネル体に配設される本体と、同本体内に配設され前記一のパネル体と係合する進出位置と同一のパネル体と係合しない退避位置を取りうる係合片と、同係合片を進出方向に付勢する付勢手段と、同係合片を退避位置で係留する係留手段と、前記干渉部材が干渉することで退避位置で付勢状態で係留されている係合片の係留状態が解除される解除手段とを備えていることを特徴とする請求項１に記載の遊技機。
【請求項３】
前記係合片の前端は押圧面が斜状に形成されており、同係合片は同係合片の進出に伴って前記一のパネル体の後部寄りと同押圧面とが干渉して同一のパネル体を前方側当接面に対して押圧することを特徴とする請求項２に記載の遊技機。
【請求項４】
前記一のパネル体の後部寄りには前記係合片の押圧面が当接する斜状の案内面が形成されていることを特徴とする請求項３に記載の遊技機。
【請求項５】
前記係合片が進出位置に配置されている状態では前記一のパネル体を前記前方パネル体の隣接位置に配設できないことを特徴とする請求項２〜４のいずれかに記載の遊技機。
【請求項６】
前記一のパネル体はレール部材によって略円形形状に区画された遊技領域をその前面に有する遊技盤であり、前記前方パネル体は前記遊技盤を載置する載置部と前記遊技領域を露出させる開口部と前面側に遊技球発射機構を備えた遊技機本体であって、
前記遊技領域は前記開口部に面して配置され前記遊技球発射機構から発射された遊技球は助走後に同レール部材側に飛び移るように構成されており、
前記選択固定手段は同遊技機本体の背面側であって同遊技盤の背面側下端寄り位置に隣接する位置に配置されていることを特徴とする請求項１〜５のいずれかに記載の遊技機。
【発明の詳細な説明】
【技術分野】
【０００１】
本発明は、機能の異なる複数のパネル体を前後方向に重複配置して組み立てるようにした遊技機に関するものである。
【背景技術】
【０００２】
従来から例えばパチンコ遊技機やスロットマシンのような遊技機では機能の異なる複数のパネル体を前後方向に重複配置して組み立てるようにしている。このような遊技機の一例として特許文献１のパチンコ遊技機を示す。特許文献１ではその図１２に示すように外枠１１に対して遊技機本体１２を開閉可能に取り付け、この遊技機本体１２の前後に前扉枠１３、遊技盤３０、制御基板ユニット２０１〜２０３を重複状に配置させている。そして、これらのパネル体同士の連結は回転式の係止固定具やナイラッチ（登録商標）と呼称される押し込み式の固定ピン等の固定手段によって行われている。
例えば遊技盤３０は同文献１の図１４に示すように周縁に散点的に配設された複数の係止固定具２１１，２１２によって遊技機本体１２に対して固定（係合）されており、遊技機本体１２側の棚部分に載置された状態で後方に脱落しないように保持されている。
【特許文献１】特開２００５−４１５号公報
【発明の開示】
【発明が解決しようとする課題】
【０００３】
ところが、このような係止固定具２１１，２１２は複数設けられているためにすべてが完全に機能していなくとも遊技盤３０が脱落してしまうことはない。そのため一部の係止固定具２１１，２１２について係合方向に回動操作をするのを忘れたり、回動量が不十分で係合作用が発揮できなかったりしたままで組み立てられてしまうことがある。
この場合に上記のように遊技盤３０の脱落はないものの、遊技盤が遊技機本体１２にしっかりと押しつけられずに本来セットされるべき位置から若干ずれて遊技盤３０が遊技機本体１２対してわずかに傾いて載置されてしまう可能性があった。このような症状は潜在的に各種不具合の原因となると考えられ、特に問題となるのは遊技盤３０と遊技機本体１２の前面側の機構との協調性である。
遊技盤３０はその前面側にレールユニット５０を含む遊技面が配設されており、遊技機本体１２にセットされると遊技機本体１２の開口部から遊技面は前方側に露出されレールユニット５０は遊技機本体１２側に突出されることとなる。そして、レールユニット５０の外レール５２は遊技機本体１２の発射機構から斜め上方に発射されるパチンコ球を受け止める機能を有するため、遊技盤３０のわずかな傾きがパチンコ球のレール部材の滑走の妨げとなる場合があるからである。
【０００４】
このような不具合は例えば特許文献１ではその図１４に図示された係止固定具２１２が非固定状態（係合解除）となった場合に特に生じやすい。つまり、ちょうどこの係止固定具２１２周辺が遊技盤３０の前面に配置された外レール５２の基部位置裏面に相当するからである。更に、この係止固定具２１２は特許文献１の図１１に示すように制御基板ユニット２０２によって係止固定具２１２が隠されてしまい、すべてのパネル体を汲み上げた段階では係止固定具２１２が背面側からは見えにくくなってしまう。そのため非固定状態となっていることが組み立て完了段階で確認しにくいことも不具合を発見しにくい一因となっていた。
このような不具合は遊技機が複数のパネルを組み合わせて構成するために生じるものである。そのためある一のパネル体の固定をし忘れてもそれを原因とした不具合が生じにくくなるような工夫がこの種の遊技機で求められていた。
本発明は、このような従来の技術に存在する問題点に着目してなされたものである。その目的とするところは、ある一のパネル体の固定をし忘れてもそれを原因とした不具合が生じにくい遊技機を提供するものである。
【課題を解決するための手段】
【０００５】
上記の目的を達成するために請求項１の発明では、機能の異なる複数のパネル体を前後方向に重複配置して組み立てるようにした遊技機において、同複数のパネル体から選択された当該一のパネル体が当該一のパネル体の前方に隣接配置された前方パネル体に対して固定手段によって固着されるとともに、当該一のパネル体の後方に隣接配置された後方パネル体が当該一のパネル体に対して開放された状態にあって、なおかつ前記固定手段から選択された少なくとも１の固定手段（以下、選択固定手段とする）の固定作用が解除されている場合には、同後方パネル体を当該一のパネル体に対して相対的に閉塞させることに伴って同後方パネル体側の干渉部材を同選択固定手段に干渉させて同選択固定手段の固定作用を有効とするようにしたことをその要旨とする。
【０００６】
上記の構成は次のようなケースを想定している。つまり一のパネル体を前方パネル体に対して固定手段によって固着させる場合に、作業者が一部の固定手段を機能させるのを忘れてしまう場合がありうる。この一部の固定手段を選択固定手段とすると、選択固定手段が機能していない状態で一のパネル体が前方パネル体に対して固定されている状態となってしまっている。
このような場合でも後方パネル体を当該一のパネル体に対して相対的に閉塞せるようにすれば自然に後方パネル体側の干渉部材が選択固定手段に干渉してこれを作動させて選択固定手段の固定作用が有効とされる。つまり、選択固定手段を機能させるのを忘れていても後方パネル体を閉塞した段階で選択固定手段は後方パネル体側の干渉部材によって作動させられて当該一のパネル体を前方パネル体に対して固定するという機能を発揮できることとなる。
ここに「前方パネル体」とは相対的に一のパネル体に対して前方（遊技者側）に配置されるパネル体をいい、「後方パネル体」とは相対的に一のパネル体に対して後方（遊技者側とは反対側）に配置されるパネル体をいう。
【０００７】
また、上記の目的を達成するために請求項２の発明では請求項１に記載の発明の構成に加え、前記選択固定手段は前記前方パネル体に配設される本体と、同本体内に配設され前記一のパネル体と係合する進出位置と同一のパネル体と係合しない退避位置を取りうる係合片と、同係合片を進出方向に付勢する付勢手段と、同係合片を退避位置で係留する係留手段と、前記干渉部材が干渉することで退避位置で付勢状態で係留されている係合片の係留状態が解除される解除手段とを備えていることをその要旨とする。
この構成は請求項１の選択固定手段をより具体化して示したものである。このような構成では一のパネル体に対して相対的に後方パネル体を閉塞させると干渉部材が解除手段に干渉することによって係合片の係留状態が解除されると付勢手段の付勢力に基づいて退避位置にある係合片が進出して一のパネル体と係合することとなる。これによって選択固定手段による一のパネル体を前方パネル体に対する固定作用が機能することとなる。
ここに「係合片の進出と退避」はスライド移動だけではなく回転によって進出状態と退避状態を取りうる場合も含む概念である。
【０００８】
また、上記の目的を達成するために請求項３の発明では請求項２に記載の発明の構成に加え、前記係合片の前端は押圧面が斜状に形成されており、同係合片は同係合片の進出に伴って前記一のパネル体の後部寄りと同押圧面とが干渉して同一のパネル体を前方側当接面に対して押圧することをその要旨とする。
係合片にこのような斜状の押圧面を形成することによって係合片の進出に伴って一のパネル体を前方方向に押圧する力を発生させることができる。これによって単に係合片は一のパネル体の後方に配置されて後方から一のパネル体を支持するだけではなく、積極的に一のパネル体を前方側当接面に対して押動させることができるため、一のパネル体は前方側当接面との間に少しの隙間もなく配置させることが可能となる。
【０００９】
また、上記の目的を達成するために請求項４の発明では請求項３に記載の発明の構成に加え、前記一のパネル体の後部寄りには前記係合片の押圧面が当接する斜状の案内面が形成されていることをその要旨とする。
請求項３の発明では係合片の押圧面が当接する一のパネル体の後部寄りの形状は特に限定はされない。しかし、一のパネル体をスムーズに押動させるためには押圧面と面接触する斜状の案内面を設けることが好ましい。
【００１０】
また、上記の目的を達成するために請求項５の発明では請求項２〜４のいずれかに記載の発明の構成に加え、前記係合片が進出位置に配置されている状態では前記一のパネル体を前記前方パネル体の隣接位置に配設できないようにしたことをその要旨とする。
つまり、係合片が邪魔となって一のパネル体を前方パネル体に対する所定の配置位置に配置させることを不可能とさせるものである。従って一のパネル体を前方パネル体に対する所定の配置位置に配置させるためには一旦に係合片を退避させなくてはならない。係合片を一旦退避させ係留手段に係合させた後に所定の配置位置に一のパネル体を配置させるようにする。この後は作業者が能動的に係留手段を解除させてもよく、例え係留手段を解除させなくとも後方パネル体の解除手段によって解除させることが可能である。
【００１１】
また、上記の目的を達成するために請求項６の発明では請求項１〜５のいずれかに記載の発明の構成に加え、前記一のパネル体はレール部材によって略円形形状に区画された遊技領域をその前面に有する遊技盤であり、前記前方パネル体は前記遊技盤を載置する載置部と前記遊技領域を露出させる開口部と前面側に遊技球発射機構を備えた遊技機本体であって、前記遊技領域は前記開口部に面して配置され前記遊技球発射機構から発射された遊技球は助走後に同レール部材側に飛び移るように構成されており、前記選択固定手段は同遊技機本体の背面側であって同遊技盤の背面側下端寄り位置に隣接する位置に配置されていることをその要旨とする。
一のパネル体がこのような遊技盤であれば、選択固定手段が作用していない場合には遊技機本体に載置された状態で遊技盤がしっかりと密着していない状態が生じる可能性がある。特に遊技機本体側の遊技球発射機構から発射された遊技球は助走後に遊技盤側のレール部材に飛び移りレール部材を滑走するのであるが、遊技盤がしっかりと遊技機本体に密着していないとパチンコ球は設計通りに滑走できずいわゆるパチンコ球の「飛びむら」が生じてしまう可能性がある。
ところが、このように遊技盤を背面側の下端寄り位置に配置された選択固定手段では必ず一のパネル体を前方パネル体に対する固定作用を機能させることができるため、選択固定手段を作用させるのを失念しても遊技盤は遊技機本体にしっかりと固定され、パチンコ球の「飛びむら」が生じにくくなる。
【発明の効果】
【００１２】
上記請求項１〜５に記載された発明では、一のパネル体の選択固定手段の固定をし忘れても後方パネル体の干渉部材によって選択固定手段が機能することとなるため、選択固定手段が機能しないことに基づく一のパネル体の後方パネル体への固定作用に不具合が生じることがない。
【発明を実施するための最良の形態】
【００１３】
以下、本発明の各実施の形態について図面に基づいて説明する。
図１〜図４に示すように、パチンコ遊技機１１は支持枠体かつパネル体としての外枠１２を備えている。外枠１２は、遊技ホールへの設置の際にいわゆる島設備に取り付けられる。外枠１２は上下左右の各枠板１２ａ〜１２ｄによって四角形に枠組みされた木製の枠体とされている。下部枠板１２ｄ上面には幕板１３が配設されている。
外枠１２内には遊技機本体１４が装着されている。前方パネル体としての遊技機本体１４はパチンコ遊技機の構造的な中核を形成する正面視において長方形形状をなすパネル状の構成部材であって、外枠１２内において幕板１３上に配置されている。図１〜図３に示すように、遊技機本体１４は正面視において略長方形の外郭を備えたＡＢＳ製のパネルとされている。遊技機本体１４は正面から見て左方寄りにおいて上下に配設された開閉金具１５ａを有し、外枠１２側の開閉金具１５ｂに軸支されて開閉軸線Ｐ（図３参照）を軸心として前方側に開放可能とされている。図３又は図４等に示すように、遊技機本体１４は開閉軸線Ｐ側とは逆側の側縁に上下方向に間隔を開けて３箇所にラッチ機構Ｌ１が配設されている。ラッチ機構Ｌ１は遊技機本体１４が外枠１２に対して閉塞された際に外枠１２側の挿入溝Ｄ１に挿入されて係合しロック状態とされる。ロック状態の解除（つまり遊技機本体１４の外枠１２に対する開放）は遊技機本体１４前面のキー装置Ｋのキー操作によって行われる。
【００１４】
図３及び図７に示すように、遊技機本体１４の下部領域には遊技機本体側機構部１６が形成されている。遊技機本体側機構部１６を正面から見て右方には遊技球発射機構としての遊技球発射ユニット１７が配設されている。遊技球発射ユニット１７はソレノイド等から構成された発射部１８と、発射部１８にパチンコ球を順に供給する送球部１９及び補助レール２０から構成されている。遊技機本体側機構部１６の正面から見て左方には上部パチンコ球流入路２１と下部パチンコ球流入路２２がそれぞれ配設されている。両パチンコ球流入路２１，２２間にはバイパス通路２３が形成されている。下部パチンコ球流入路２２の上方にはファール球通路２４が形成されている。バイパス通路２３及びファール球通路２４はユニット化されている。
【００１５】
遊技機本体側機構部１６の上方には遊技盤取り付けスペース２５が形成され、遊技盤２７が同スペース２５内に配設されている。同スペース２５は遊技盤２７が載置される載置部としての棚部２８と、略楕円形状に切り欠き形成された開口部としての窓孔２９と遊技盤２７がはめ込まれる遊技盤２７の外郭形状に略一致した凹部３０とを有している。凹部３０の前面、つまり窓孔２９の周囲には遊技盤２７が凹部３０内に嵌合された状態でその前面部分が当接される前面板部３０ａとされている。
図３、図５及び図９に示すように、木製の遊技盤２７の外郭は変形長方形形状とされ、棚部２８に載置された状態で固定手段としての６つの回転固定具３２〜３４によって遊技機本体１４に対して固定される。遊技盤２７は固定具３２〜３４が作用している（つまり係合している）状態で前板部３０ａに密着させられている。
図９は遊技機本体１４に載置された遊技盤２７の背面から見た場合の固定具３２〜３４の配設位置を示す概略図である。同図に示すように、遊技機本体１４の左右両側にはそれぞれ上下に所定間隔離間して回転係止金具３２ａ〜３２ｄが配設されており、遊技盤２７の左右縁部分に係合する。遊技機本体１４の上方にはプラスチック製の回転係止具３３が配設されており、遊技盤２７の上縁を後述する機構盤１２０と共締め状態に係合する。遊技機本体１４の下方には選択固定手段としてのスライド式固定ユニット３４が配設されている。
【００１６】
ここで、図６、図１１、図１７〜図２１に基づいてスライド式固定ユニット３４及びその周辺の構造について詳細に説明する。遊技機本体１４の後方には収容部としての凹部１０１が形成されている。凹部１０１を構成する上部寄り左右両側面は上方ほど幅狭のテーパ面１０１ａとされている。凹部１０１内には係合片としての係合プレート１０２が配設されている。係合プレート１０２は凹部１０１内にちょうど収まる厚みに構成され、上方寄りほど幅狭となるように傾斜した左右傾斜面１０２ａを備えている。図１１（ａ）に示すように、凹部１０１内において係合プレート１０２が上動すると係合プレート１０２の上半身が棚部２８上に露出させられるとともに左右傾斜面１０２ａがちょうどテーパ面１０１ａに当接して係合プレート１０２の上方への抜け出しが防止されることとなる。
係合プレート１０２の裏面側（遊技者側からみると前面側）上部位置には上方寄りほど板厚が薄くなるような斜状の押圧面１０２ｂが形成されている。係合プレート１０２の底面１０２ｃには下方に突出する一本の支持脚１０３が一体的に形成されている。係合プレート１０２は支持手段としての支持脚１０３によって支持されて凹部１０１内で立設されている。支持脚１０３下端は球面形状とされ凹部１０１内の底面１０１ｂに対し滑らかに点接触される。
【００１７】
係合プレート１０２の前面（遊技者側からみると裏面側）には解除手段及び係留手段としてのレバー１０４が植設されている。係合プレート１０２の底面１０２ｃと凹部１０１内の底面１０１ｂとの間には付勢手段としての板バネ１０５が配設されている。板バネ１０５は下端側においてビス１０６にて固定され、大きく湾曲されて上端側にて支持脚１０３に挿通されている。その結果係合プレート１０２は板バネ１０５の付勢力によって凹部１０１内で常時上方側に押圧される。
凹部１０１の前面（つまり遊技機本体１４の裏面）は蓋１０７によって封塞されている。蓋１０７はビス１０８によって固定されている。蓋１０７が装着された状態で凹部１０１の上方に係合プレート１０２が突出する開口部１１０が形成されることとなる。
蓋１０７の中央位置には係留手段としての略Ｌ字状の溝１０９が形成されている。溝１０９内にはレバー１０４が嵌挿されており、レバー１０４は溝１０９に沿って移動することとなる。溝１０９はレバー１０４を上下に案内する案内溝部１０４ａと、レバー１０４が係合されて上方への移動が阻止される係合溝部１０４ｂから構成されている。スライド式固定ユニット３４はこれら凹部１０１、係合プレート１０２、板バネ１０５、蓋１０７等によって構成されている。係合プレート１０２は遊技機本体１４の背面に埋設されることとなる。
【００１８】
パネル体をなす遊技盤２７には遊技面２７ａから裏面に貫通する大小複数の開口部が形成され、各開口部にはそれぞれ目的に応じた各種装飾パネルが併設されている。遊技盤２７の略中央には可変表示ユニット３５が配設されている。可変表示ユニット３５は大型の液晶ディスプレイ３６を備えている。図８に示すように可変表示ユニット３５は遊技盤２７背面に配置される表示制御装置３７を備えている。可変表示ユニット３５の直下には始動口３８が配置されており、さらにその下方にいわゆる大入賞口と呼称される可変入賞装置３９が配置されている。可変表示ユニット３５の左右両側にスルーゲート４０が配置され、始動口３８の左右両側方向には一般入賞口４１がそれぞれ複数配置されている。遊技盤２７の最下部位置にはアウト口４２が設けられており、各種入賞口等に入らなかったパチンコ球はアウト口４２を通って図示しない球排出路の方へと案内されるようになっている。遊技盤２７の表面には、パチンコ球の落下方向を適宜分散、調整等するために多数の遊技釘が植設されている。また、風車４３等の各種部材（役物）が配設されている。
【００１９】
遊技盤２７の遊技面２７ａ上には、レール部材としての外レール５１と内レール５２が装着されている。遊技盤２７が遊技機本体１４の遊技盤取り付けスペース２５に配設された状態で両レール５１，５２及び前記遊技機本体１４側の窓孔２９を包囲する壁面３１の一部によって遊技面２７ａに遊技領域が画定されている。
図８に示すように、外レール５１は前記遊技球発射ユニット１７の補助レール２０の正面から見て左斜め上方であって、同補助レール２０の延長方向にファール球通路２４上方の空間を隔てた位置にその基端が配置されている。外レール５１は基端から時計回り方向に円弧状に上方に延出され遊技面２７ａの頂点から若干進んだ位置（遊技面２７ａを時計のダイヤルと見立てた場合の略２時方向位置）にその先端が配置されている。
【００２０】
内レール５２は遊技面２７ａを時計のダイヤルと見立てた場合の略４時方向に基端が配置されている。内レール５２は基端から時計回り方向に円弧状に下方に延出され、前記アウト口４２前面を略水平に横切った後、外レール５１の内周側を上方に向かって延出され、遊技面２７ａの頂点の手前位置（遊技面２７ａを時計のダイヤルと見立てた場合の略１０時方向位置）にその先端が配置されている。内レール５２の先端には遊技面２７ａに打ち出されたパチンコ球の逆進を防止するための片持ちの舌片が形成された逆進防止部材５５が装着されている。円弧状の内レール５２の最下方位置はアウト口４２と交差する位置とされている。両レール５１，５２は正面から見てアウト口４２の左方位置から逆進防止部材５５位置（つまり内レール５２の先端）にかけて隣接して配置されパチンコ球発射通路４９が形成されている。
【００２１】
外レール５１及び内レール５２は帯状の同幅に形成されたステンレス製薄板条体から構成されている。図６に示すように、両レール５１，５２の一側には適度な間隔を開けて釘５３が突設されている。両レール５１，５２は遊技面２７ａ側縁部に対して釘５３を食い込ませて固定されている。両レール５１，５２は遊技面２７ａに対して前方に向かって略垂直に立設されている。外レール５１の先端と内レール５２の基端との間には両レール５１，５２は配設されておらず、窓孔２９の内周壁５６によって遊技領域が画定されている。内側壁５６は両レール５１，５２の曲率に略応答した曲率で弧状の壁面として構成されている。
【００２２】
パチンコ球は遊技球発射ユニット１７によって打ち出されると補助レール２０を滑走した後、外レール５１に乗り移り外レール５１を更に滑走しながら外レール５１と内レール５２との間のパチンコ球発射通路４９を上方に向かって進み遊技面２７ａに飛び出す。この時、遊技球発射ユニット１７による打ち出し力が弱く補助レール２０から外レール５１に乗り移ることができなかったり、外レール５１に乗り移っても遊技領域まで至らなかったパチンコ球は落下してファール球通路２４に導かれる。
遊技領域に放出されたパチンコ球は落下しながら遊技釘、装飾パネルあるいは各種役物等と干渉して弾かれながら降下し、途中始動口３８、可変入賞装置３９及び一般入賞口４１に入賞する球以外はすべて内レール５２上に落下し、同内レール５２を伝わって最下部位置のアウト口４２に導かれる。入賞した入賞球及びアウト口４２に導かれたアウト球は排出通路４４（図２及び図５参照）を経て後述する機構盤１２０側の遊技球回収ケース１４１の排出通路１５４に集合し、機外に一旦放出される。
【００２３】
次に遊技盤２７の背面構成について図４及び図５に基づいて説明する。
可変表示ユニット３５の背面側には可変表示ユニット３５を後方から包囲するセンターカバー６１が配設され、センターカバー６１の後端位置に表示制御装置６２が配設されている。表示制御装置６２の基板ボックス６３は軸受け部６４を備えており、センターカバー６１側の支持ピン６５に対して回動可能に軸支され、ナイラッチ６６によって固着されるようになっている。
表示制御装置６２の下方位置にはアンダーカバー６７を介して主制御装置６８が配設されている。主制御装置６８は全体の制御を司るメインＣＰＵ、遊技プログラムを記憶したＲＯＭ、遊技の進行状況に応じて必要なデータを記憶するＲＡＭ、音声や表示ランプ等の制御を行うサブＣＰＵ、クロックパルス発生回路、各種ポート等から構成されている。主制御装置６８の基板ボックス７１は軸受け部７２を備えており、アンダーカバー６７側の支持ピン７３に対して回動可能に軸支され、ナイラッチ７４によって固着されるようになっている。表示制御装置６２及び主制御装置６８は着脱可能である。図１０に示すように、背面側から見て、表示制御装置６２は回動軸線Ａを中心に左開き、主制御装置６８は回動軸線Ｂを中心に右開きとされている。
図５及び図１１に示すように、遊技盤２７の下端位置には斜状の案内面６９が形成されている。案内面６９は遊技盤２７が遊技機本体１４の棚部２８に載置された状態で前記スライド式固定ユニット３４の凹部１０１の開口部１１０に面して配置されている。すなわち、遊技機本体１４の背面に形成された凹部１０１内に配設された係合プレート１０２が上動して開口１０８から棚部２８上に露出すると同係合プレート１０２側の押圧面１０２ｂと案内面６９は面接触することとなる。押圧面１０２ｂと案内面６９は斜状に形成されており、係合プレート１０２が上動することによって案内面６９を前方（つまり遊技者側）方向に押動することとなる。
【００２４】
次に遊技機本体１４前面の扉枠８１と扉パネル８２と遊技盤２７について説明する。
図３に示すように、遊技機本体１４の前面にはそれぞれパネル体としての扉枠８１と扉パネル８２が配設されている。扉枠８１はプレス成形された合金製の板体であり、扉パネル８２はＡＢＳ樹脂製のパネル体である。扉枠８１及び扉パネル８２は図示しないネジによって接合されて前面扉８３を構成する。図１、図３に示すように、前面扉８３の外郭は遊技機本体１４の正面から見た外郭と略一致した長方形形状の外郭の正面形状を有している。前面扉８３は遊技機本体１４に対して開閉可能に取り付けられている。前面扉８３（扉枠８１）は遊技機本体１４と同様前記開閉金具１５ａ，１５ｂの開閉軸線Ｐと同軸に取り付けられた開閉金具８４を軸心として前方側に開放可能とされている。そのため、遊技機本体１４は外枠１２に対して開閉可能とされるとともに、前面扉８３は外枠１２と遊技機本体１４のそれぞれに対して独立して開閉可能とされている。
図３に示すように、遊技機本体１４は開閉軸線Ｐ側とは逆側の側縁に上下方向に間隔を開けて３箇所にラッチ機構Ｌ２が配設されている。ラッチ機構Ｌ２は前面扉８３が遊技機本体１４に対して閉塞された際に遊技機本体１４側の挿入溝Ｄ２に挿入されて係合しロック状態とされる。ロック状態の解除は遊技機本体１４背面側からの図示しない解除装置の操作によって行われる。
【００２５】
前面扉８３には遊技者が遊技面２７ａを目視するための窓部としての目視用窓孔８５が形成されている。目視用窓孔８５の背面側には窓ガラス８６が配設されている。前面扉８３の前面側であって、目視用窓孔８５の左右及び上方には前方に膨出した装飾用パネル８７が配設されている。扉枠８１にはスピーカ装置８８や装飾ランプ８９が配設されている。目視用窓孔６１の下方位置には、前側へ膨出した第１の膨出部９０が設けられ、その第１の膨出部９０内側が上受け皿９１とされている。上受け皿９１は後述する払い出し装置１２４より払い出され、上部パチンコ球流入路２１から流入し流入通路９６（図３参照）を介して供給されるパチンコ球を一旦貯留し、一列に整列させながら遊技球発射ユニット１７に導くための球貯留部である。
【００２６】
第１の膨出部９０の下方位置には、前側へ膨出した第２の膨出部９２が設けられ、その第２の膨出部９２内側が下受け皿９３とされている。下受け皿９３内にはバイパス通路２３及びファール球通路２４からパチンコ球が流下する下部流出口９４が配設されている。下受け皿９３は上受け皿９１のパチンコ球の貯留量が多すぎる場合や遊技者の能動的な操作に基づいて上受け皿９１から流下させたパチンコ球を貯留するための補助的な球貯留部である。
装飾用パネル８７、第１及び第２の膨出部９０，９２は全体としてデザイン的な統一が図られている。正面から見て下受け皿９３の左方には灰皿９５が配設されている。下受け皿９３の右方には遊技球発射ユニット１７と連動するパチンコ球打ち出し用ハンドル９７が前方に突出形成されている。ハンドル９７の上方位置には透孔９８が形成されており前面扉８３の閉塞状態で上記キー装置Ｋの前面のキー孔が露出される。
【００２７】
次に、遊技機本体１４の背面側に配設される後方パネル体としての機構盤１２０の構成について説明する。
機構盤１２０は遊技機本体１４に対して着脱可能に取着されており、遊技盤２７は遊技機本体１４と本機構盤１２０に前後から挟まれるように配置されている。
図１〜図４、及び図６に示すように、機構盤１２０は遊技機本体１４よりも一回り小さな長方形形状のポリカーボネート製のフレーム１２１をベースとし、フレーム１２１に対して各種構成部品が固着されて構成されている。フレーム１２１は上部フレーム１２１ａ、側部フレーム１２１ｂ、下部フレーム１２１ｃ及び連結フレーム１２１ｄが連接され一体的に構成され、中央に大型方形の開口部Ｓを有している。
機構盤１２０の最上部位置、つまり上部フレーム１２１ａに隣接した位置にはタンク１２２が配設されている。タンク１２２には遊技ホールの島設備から新たなパチンコ球が供給される。タンク１２２の下部隣接位置にはタンクレール１２３が配設されている。タンクレール１２３の下流側（図２における右側、図６における左側）には側部フレーム１２１ｂの背面に沿って上下方向に延びるケースレール１２５が配設されている。ケースレール１２５の途中には払い出し装置１２４が配設されている。パチンコ球はタンクレール１２３からケースレール１２５に案内され、後述する払い出し制御装置１３１による払い出し装置１２４の制御に基づいて適宜払い出しされる。払い出し装置１２４の下部位置であってケースレール１２５と重複状に外部電源基板１２６が配設されている。外部電源基板１２６は変圧器を介して供給される電源を遊技機全体に供給するためのメイン基板とされる。
【００２８】
タンクレール１２３の下部位置でありケースレール１２５、払い出し装置１２４及び外部電源基板１２６の側方位置には表示制御装置６２のすべてと主制御装置６８の上方寄り部分を覆う保護カバー１２７が配設されている。機構盤１２０の最下部位置、つまり下部フレーム１２１ｄ位置であってその背面側には払い出し等制御ユニット１２９が配設されている。払い出し等制御ユニット１２９は基板ボックス１３０に格納された払い出し制御装置１３１、発射制御装置１３２及び内部電源基板１３３等から構成されている。払い出し制御装置１３１は賞球の払い出しの制御を司る。発射制御装置１３２は遊技者のハンドル９７操作に基づくパチンコ球の発射モードの制御を司る。内部電源基板１３３は各種制御基板における所定の電源電圧の制御を行う。
払い出し等制御ユニット１２９に隣接した側方位置（外部電源基板１２６の下方）には払い出し中継基板１３４が配設されている。払い出し中継基板１３４は払い出し制御装置１３１からの払い出し装置１２４への払い出し信号の出力を中継する役割を果たす。タンクレール１２３の側方（図２における右方）の上部フレーム１２１ａには外部端子接続基板１３５が配設されている。同基板１３５に隣接する位置には上記回転係止具３３が係止される小判形状の長孔１３６が配設されている。
【００２９】
図６に示すように、下部フレーム１２１ｄの前面側には遊技球回収ケース１４１が着脱可能に配設されている。図６、図１２及び図１３に示すように、遊技球回収ケース１４１は背板１４３を境にして前面側がリブ１４４によって補強された補強部１４３ａとされた前後の厚みの薄い平たい箱形状をなしている。遊技球回収ケース１４１の天板１４５は後方に下がるように傾斜して構成されており、遊技球排出通路４４から落下した遊技球を後方に導くようになっている。リブ１４４は補強と同時に外部からの針金等による不正アクセスをしにくくする役割も果たしている。天板１４５の側方位置には上方に張り出す張り出し板部１４５ａが形成されており、同張り出し板部１４５ａの後方位置に中継ダクト１４７が連結されている。図１４（ａ）及び（ｂ）に示すように中継ダクト１４７は内部に屈曲した中継通路１４７ａが形成され、張り出し板部１４５ａに形成された開口部１４８に連通されている。上記ケースレール１２５から供給されるパチンコ球は中継ダクト１４７を通って遊技機本体１４側の上部パチンコ球流入路２１方向に導びかれ上受け皿９１あるいは下受け皿９３に供給される。
図６に示すように、背板１４３を境にした背面側１４３ｂには落下した遊技球を中央方向に集合させる第１及び第２の傾斜通路１５２，１５３が形成されている。第１の傾斜通路１５２は第２の傾斜通路１５３に接続され排出通路１５４に連通させられている。排出通路１５４に導かれたパチンコ球は一旦外部に排出される。
【００３０】
図３、図４、図６、図１３、図１６（ａ）（ｂ）及び図２２に示すように、遊技球回収ケース１４１の補強部１４１ａ側の下部寄り位置には前方に突起する干渉部材としての干渉プレート１４９が一体的に形成されている。干渉プレート１４９は平面形状において略三角形形状をなし、前記スライド式固定ユニット３４のレバー１０４と干渉する斜状の当接縁１４９ａを備えている。
機構盤１２０は側部フレーム１２１ｂに沿って取り付け金具１５０が配設されており、取り付け金具１５０の上下所定位置には支持ピン１５６が下向きに突設されている。機構盤１２０は支持ピン１５６によって遊技機本体１４の背面側に形成された軸受け部１５７に対して回動可能に軸支されている。図１０に示すように、背面側から見て機構盤１２０は回動軸線Ｃを中心に右開きとされている。機構盤１２０は遊技機本体１４に対してナイラッチ１５８、回転係止具３３及び回転係止金具１５９によって固着されるようになっている。まず、機構盤１２０を回動軸線Ｃを中心に回動させて遊技機本体１４側に押し付け、ナイラッチ１５８を遊技機本体１４のピン孔１６０（図４、図５参照）に対して挿入係合させることによって仮留めさせた状態で上方側で回転係止具３３を係合させるとともに、下方側で回転係止金具１５９を係合させることで完全に固着されることとなる。図２及び図１０に示すように、機構盤１２０が遊技機本体１４に固着された状態で下方側の回転係止金具１５９及びスライド式固定ユニット３４は機構盤１２０が邪魔となって背面側から目視することはできない。
【００３１】
次に、このように構成されたパチンコ遊技機１１における遊技盤２７、機構盤１２０及び遊技機本体１４周辺の構成に基づく作用について説明する。
まず、遊技盤２７を遊技機本体１４の棚部２８に載置させるものとする。この場合に、遊技盤２７は背面側から載置させるのであるが、スライド式固定ユニット３４の係合プレート１０２が図１７（ａ）のように棚部２８から上方に突出した位置にある場合には、この突出した係合プレート１０２が邪魔となって載置させることができない。そのため、作業者はまず、突出状態の係合プレート１０２を図１７（ｂ）のようにレバー１０４が溝１０９の最下部位置に配置されるまで押し下げ、次いで押し下げられたレバー１０４を図１７（ｃ）のように係合溝部１０４ｂ方向に移動させる必要がある。つまり、案内溝部１０４ａに沿って板バネ１０５の付勢力によって上動しないように（戻らないように）レバー１０４先端をつまんで係合溝部１０４ｂに係合させるわけである。この状態ではレバー１０４の側面が係合溝部１０４ｂの縁に係合されるため係合プレート１０２は上動することはできず係合プレート１０２は棚部２８から上面には突出できない。この状態をスライド式固定ユニット３４のスタンバイ状態とする。凹部１０１内に配設された係合プレート１０２は横方向の移動に対して若干の余裕を持たせてあるためこのような横方向の係合プレート１０２の変位が可能となっている。
【００３２】
このようにスライド式固定ユニット３４を操作して遊技盤２７を遊技機本体１４の棚部２８に載置可能な状態としてから改めて図１８のように背後から遊技盤２７を棚部２８に載置させ、その他の回転固定具３２及び３３によって遊技盤２７を遊技機本体１４に対して固定するものとする。
この際に、基本的にはスタンバイ状態のスライド式固定ユニット３４について図１９（ａ）のように作業者が能動的にレバー１０４を操作して係合溝部１０４ｂ位置から案内溝部１０４ａ方向に移動させる。すると図１９（ｂ）のように板バネ１０５の付勢力によって係合プレート１０２は上動する。遊技盤２７は上動する係合プレート１０２と干渉する位置に設置されており、係合プレート１０２の上動に伴ってその押圧面１０２ｂは遊技盤２７裏面に形成されている案内面６９に対して接触するようになる。押圧面１０２ｂ及び案内面６９は互いの斜状面で接触するため係合プレート１０２が上動すると遊技盤２７側に前方に対して押動する方向のベクトルが作用することとなる。つまり、係合プレート１０２は押圧面１０２ｂ及び案内面６９を介して遊技盤２７下方寄りを前方（つまり遊技者側）方向に押動することとなる。その結果、遊技盤２７は下方寄りでよりしっかりと前板部３０ａ方向に密着させられることとなる。
【００３３】
しかし、作業者が能動的にレバー１０４を操作せずに機構盤１２０を遊技盤２７及び遊技機本体１４に対して閉塞してしまう場合がある。その場合になんらの手段も講じなければ遊技盤２７を遊技機本体１４に固定するスライド式固定ユニット３４が機能しないため、図２０に示すように遊技盤２７の下方位置が前板部３０ａに密着せずに隙間Ｓが形成されてしまう場合がある。このように遊技盤２７が遊技盤取り付けスペース２５に正しく配置されないと、遊技盤２７前面側の、外レール５１が遊技機本体１４側の遊技球発射ユニット１７の補助レール２０とわずかにオフセットされて配置されてしまうこととなる。また外レール５１自体も若干前下がりに配置されてしまうこととなる。もし、遊技盤２７がこのような状態で配置されたとするとそのことが原因で打ち出されたパチンコ球が滑走面と必要以上に強い摩擦で接したり窓ガラス８６に衝突したり等本来の動きとは異なる挙動を示して遊技の支障を来してしまうこととなる。いわゆる「飛びむら」である。
【００３４】
しかし、本実施の形態では機構盤１２０下部位置に配設された遊技球回収ケース１４１の前面側の補強部１４１ａの更に下部位置に前方に突出形成された干渉プレート１４９を備えており、この干渉プレート１４９がレバー１０４と干渉して作業者が能動的操作に代わってスライド式固定ユニット３４の係合プレート１０２を上動させ得る。
より具体的には図２０及び図２２（ａ）に示すように、機構盤１２０の閉塞に伴って干渉プレート１４９はレバー１０４に接近していく。そして、機構盤１２０の接近に伴って干渉プレート１４９の当接縁１４９ａがレバー１０４に当接する。当接縁１４９ａは斜状に構成されているため干渉プレート１４９の進出に伴ってレバー１０４を側方、つまり係合溝部１０４ｂ内の退避位置から案内溝部１０４ａ方向に押動させる力が作用することとなる。その結果、図２１及び図２２（ｂ）に示すようにレバー１０４が案内溝部１０４ａに達すると係合溝部１０４ｂのレバー１０４に対する係留状態が解除されて係合プレート１０２は板バネ１０５の付勢力によって上動させられる。そして、上記説明と同様係合プレート１０２の上動に伴ってその押圧面１０２ｂは遊技盤２７裏面に形成されている案内面６９に接触し、案内面６９を介して遊技盤２７下方寄りを前方（つまり遊技者側）方向に押動することとなる。つまり、遊技盤２７は下方寄りでよりしっかりと前板部３０ａ方向に密着させられることとなる。
【００３５】
以上のように構成することによって上記実施の形態では次のような効果を奏する。
（１）万一スライド式固定ユニット３４を作用させるのを忘れてしまっても、機構盤１２０の閉塞に伴って干渉プレート１４９が遊技機本体１４側のレバー１０４に干渉させてスライド式固定ユニット３４を作用させることができることとなっているため、確実に遊技盤２７の下方位置が固定され遊技球発射ユニット１７から発射されたパチンコ球が「飛びむら」を起こして遊技に支障を来すという不具合が生じることがなくなる。
（２）遊技盤２７の前板部３０ａへの密着に最も影響のある固定手段であるスライド式固定ユニット３４は通常は機構盤１２０を閉鎖状態に配設すると背面からは目視できない。従って、スライド式固定ユニット３４が作用しているかどうかは一旦機構盤１２０を閉塞した後では確認しにくいため最終チェックでも見落としがちとなってしまう。ところが、上記のように機構盤１２０を閉塞すると同時にスライド式固定ユニット３４が作動することとなっているため最終チェックにおいて敢えてスライド式固定ユニット３４を目視する必要がなくなる。
（３）遊技盤２７はスライド式固定ユニット３４がスタンバイ状態にないと係合プレート１０２が邪魔となって遊技機本体１４の棚部２８上に載置することができない。つまり遊技盤２７のセットのためには必ずスライド式固定ユニット３４をスタンバイ状態にさせることとなるためスライド式固定ユニット３４をスタンバイ状態にすることを忘れてしまうということがない。
（４）係合プレート１０２の上動に伴ってその押圧面１０２ｂは遊技盤２７裏面に形成されている案内面６９に接触し、案内面６９を介して遊技盤２７下方寄りを前方（つまり遊技者側）方向に押動することとなる。これによって単に遊技盤２７は背後から支持するだけではなくよりしっかりと前板部３０ａ方向に圧着させられることとなる。
（５）干渉部材である干渉プレート１４９は機構盤１２０のフレーム１２１とは別体で着脱可能な遊技球回収ケース１４１に形成されているため、損傷した場合でも干渉プレート１４９のみを交換すればよくコスト性に優れている。
【００３６】
本発明は以下のような態様に変更して実施することが可能である。
・上記実施の形態ではスライド式固定ユニット３４は遊技盤２７の下部位置を前方に押圧するように１つのみ配設されていたが、特に遊技盤２７の下部位置はしっかりと前板３０ａに押し付ける必要があるので複数配設するようにしても構わない。
・上記実施の形態では後方パネル体として機構盤１２０を採用したが、他の機能を有するパネル体に応用することも自由である。
・上記実施の形態では機構盤１２０の遊技球回収ケース１４１を介して干渉プレート１４９をスライド式固定ユニット３４のレバー１０４に干渉させるようになっていた。しかし、機構盤１２０がこのように一体化されておらず、機構盤が複数の分割体として構成されている場合にはスライド式固定ユニット３４に正対する機構盤あるいは機構盤ではなく他のパネル体をもって後方パネル体とすることも自由である。
・スライド式固定ユニット３４の係合プレート１０２はスライド式に進退するような構成であったが、回転式で進退する他の係合片を使用することも可能である。
・上記実施の形態では後方パネル体である機構盤１２０は前方パネル体である遊技機本体１４に固着させるようにしていたが、後方パネル体は必ずしも前方パネル体に対して固着しなければならないものではない。
・固定手段としては回転式の機構以外に上記ラッチ機構Ｌ１，Ｌ２と挿入溝Ｄ１，Ｄ２のような挿入式の固定手段を使用することも可能である。
・干渉部材の形状は上記干渉プレート１４９のような板状のものに限定されるものではない。
・干渉部材としての干渉プレート１４９によってスタンバイ状態が解除される手段として上記実施の形態では係合溝部１０４ｂに配置されているレバー１０４が斜状の当接縁１４９ａに押動されるように構成していたが、これに限定されるものではない。
・上記実施の形態のパチンコ遊技機１１以外の機種に応用することも自由である。またパチンコ遊技機以外のいわゆるパチロットに応用することも可能である。
その他、本発明の趣旨を逸脱しない態様で実施することは自由である。
【００３７】
上記請求項に適宜追加可能な上記実施の形態から把握できる本発明のその他の技術的思想について下記に付記として説明する。
（１）上記請求項において、前記後方パネル体は前記一のパネル体の外周全域を包囲していること。
つまり、後方パネル体は一のパネル体の周囲すべてに及んでいるため、後方パネル体自体が非常にしっかりと固定されることとなっており、その結果後方パネル体に押圧される一のパネル体も安定して押圧されることとなる。
（２）上記請求項又は付記において（請求項６の構成を含む場合）において、選択固定手段は後方パネルの背後から目視できないこと。
このような構成では、選択固定手段が後方パネルの背後から目視できなければ押圧固定手段が機能しているかどうかはわからず、もしなんらの手当もなければ押圧固定手段を作動させるのを忘れて機能しないケースも考えられる。ところが、本発明では後方パネルを閉塞することで万一選択固定手段を機能させるのを忘れたとしても自動的に作動して固定機能を発揮させるように構成できるため、目視できなくてもよいこととなっている。
（３）上記請求項又は付記において（請求項６の構成を含む場合）、選択固定手段は前記レール部材の下端寄り背面位置付近を固定すること。
遊技盤の下端寄りにレール部材の基部が配設されているため、この付近を固定することがもっとも遊技盤を密着させる場合の効果が大きくなるからである。また、遊技盤の下端寄りは後方パネル体によって選択固定手段が見にくいためでもある。
【００３８】
（４）上記請求項又は付記において、前記選択固定手段の係合片は前記前方パネル体の背面に埋設状に配設され、同係合片が進出すると同係合片の前面が前記一のパネル体の後部寄り位置に干渉すること。
つまり、選択固定手段が作動して係合片が進出しても単に一のパネル体を支持するだけでなく一のパネル体を前方に押圧することが可能となる。この場合に上記のように斜状の押圧面と案内面で両者が接することが好ましい。
【図面の簡単な説明】
【００３９】
【図１】本発明を応用した実施の形態のパチンコ遊技機の正面図。
【図２】同じパチンコ遊技機の背面図。
【図３】同じパチンコ遊技機の分解斜視図。
【図４】同じパチンコ遊技機の機構盤を開放した状態の斜視図。
【図５】同じパチンコ遊技機において遊技機本体に遊技盤をセットした状態の背面図。
【図６】同じパチンコ遊技機における機構盤の正面図。
【図７】同じパチンコ遊技機における遊技機本体の正面図。
【図８】同じパチンコ遊技機において遊技機本体に遊技盤をセットした状態の正面図。
【図９】遊技機本体に対する遊技盤の固着状態を説明する概略説明図。
【図１０】遊技機本体に対する機構盤の固着状態を説明する概略説明図。
【図１１】スライド式固定ユニット周辺を説明する分解斜視図。
【図１２】遊技球回収ケースの背面図。
【図１３】図１２のＡ−Ａ線における遊技球回収ケースの断面図。
【図１４】（ａ）は中継ダクトの斜視図、（ｂ）は断面図。
【図１５】係合プレートの側面図。
【図１６】（ａ）及び（ｂ）は干渉プレート付近の拡大斜視図、（ｃ）は同じく拡大平面図。
【図１７】スライド式固定ユニットの動作を説明する図であって（ａ）は作動状態、（ｂ）は干渉プレートを押し下げた（あるいは上動する瞬間）状態、（ｃ）はスタンバイ状態。
【図１８】遊技盤を遊技機本体に設置するために棚部に仮置きした状態を説明する断面図。
【図１９】（ａ）は作業者が遊技盤を遊技機本体の棚部に設置し、スライド式固定ユニットのレバーを操作している説明図、（ｂ）は操作によってスライド式固定ユニットが作動した状態を説明する説明図。
【図２０】遊技盤を遊技機本体の棚部に設置したもののスライド式固定ユニットが作動していない状態を説明する断面図。
【図２１】遊技盤を遊技機本体の棚部に設置し、スライド式固定ユニットが作動した状態を説明する断面図。
【図２２】（ａ）はスタンバイ状態にあるスライド式固定ユニットのレバー近傍に干渉プレートが配置されている状態の平面図、（ｂ）は干渉プレートがレバーに干渉してスライド式固定ユニットが作動した状態の平面図。
【符号の説明】
【００４０】
１１…パチンコ遊技機、１４…前方パネル体としての遊技機本体、２７…一のパネル体としての遊技盤、３２，３３…固定手段としての回転固定具、３４…選択固定手段としてのスライド式固定ユニット、１０１…収納部としての凹部、１０２…係合片としての係合プレート、１０５…付勢手段としての板バネ、１０４ｂ…係留手段としての係合溝部、１０４…解除手段としてのレバー、１２０…後方パネル体としての機構盤、１４９…干渉部材としての干渉プレート。
【図１】
2008289573.tif 000003
【図２】
2008289573.tif 000004
【図３】
2008289573.tif 000005
【図４】
2008289573.tif 000006
【図５】
2008289573.tif 000007
【図６】
2008289573.tif 000008
【図７】
2008289573.tif 000009
【図８】
2008289573.tif 000010
【図９】
2008289573.tif 000011
【図１０】
2008289573.tif 000012
【図１１】
2008289573.tif 000013
【図１２】
2008289573.tif 000014
【図１３】
2008289573.tif 000015
【図１４】
2008289573.tif 000016
【図１５】
2008289573.tif 000017
【図１６】
2008289573.tif 000018
【図１７】
2008289573.tif 000019
【図１８】
2008289573.tif 000020
【図１９】
2008289573.tif 000021
【図２０】
2008289573.tif 000022
【図２１】
2008289573.tif 000023
【図２２】
2008289573.tif 000024